(57)【要約】【課題】ディスクアレイ装置といった電子機器の小型化に大いに貢献することができるコンソールユニットを提供する。【解決手段】  コンソールユニット２５は、基板３９を受け止めるハウジング３５を備える。ハウジング３５には、所定の垂直軸回りで回転自在にコンソール４５が連結される。基板３９の大きさに左右されずにコンソール４５には十分な大きさが確保される。基板３９の小型化に拘わらずコンソール４５の操作性や視認性は妨げられない。コンソールユニット２５に隣接して配置される別部品や別ユニットの交換にあたって、回転に基づきコンソール４５は別部品や別ユニットの進路から待避することができる。【選択図】図４
2005033087.tif 000002
【特許請求の範囲】
【請求項１】
任意の仮想平面に沿って広がる基板と、前端から後方に広がって、表面で基板を受け止める支持部材と、仮想平面に交差する回転軸回りで回転自在に支持部材の前端に連結されて、基板に電気的に接続されるコンソールとを備えることを特徴とするコンソールユニット。
【請求項２】
筐体と、筐体内で任意の仮想平面に沿って広がる基板と、筐体に結合される前端から後方に広がって、表面で基板を受け止める支持部材と、仮想平面に交差する回転軸回りで回転自在に支持部材の前端に連結されて、基板に電気的に接続されるコンソールとを備えることを特徴とする電子機器。
【請求項３】
請求項２に記載の電子機器において、前記仮想平面に交差する姿勢で筐体内に配置される接続用基板と、接続用基板に配置される第１コネクタと、前記基板上に配置されて、第１コネクタに結合される第２コネクタとをさらに備えることを特徴とする電子機器。
【請求項４】
平板部材と、平板部材の表面よりも前側に配置される操作ボタンと、操作ボタンに接続されて、平板部材に形成される孔を貫通することで、平板部材の裏面から後側に突き出る推進力伝達部材と、一体成型に基づき平板部材および操作ボタンに連続する弾性変形体とを備える操作ボタンユニット。
【請求項５】
ハウジングと、所定の間隔でハウジングの内面に向き合わせられる平板部材と、平板部材の表面よりも前側に配置されて、ハウジングに穿たれる窓孔に臨む操作ボタンと、操作ボタンに接続されて、平板部材に形成される孔を貫通することで、平板部材の裏面から後側に向かって突き出る推進力伝達部材と、一体成型に基づき平板部材および操作ボタンに連続する弾性変形体と、平板部材の裏面に接触し、ハウジングに対して平板部材を押し当てる裏板部材と、裏板部材に穿たれて、推進力伝達部材の進入を受け入れる貫通孔とを備えることを特徴とする操作ボタンアセンブリ。
【発明の詳細な説明】
【技術分野】
【０００１】
本発明は、例えばラックマウント型のディスクアレイ装置といった電子機器に関し、特に、こういった電子機器に組み付けられるコンソールユニットや操作ボタンアセンブリに関する。
【背景技術】
【０００２】
一般に、ディスクアレイ装置では、筐体内にいわゆるバックパネルが設置される。電源ユニットや制御ユニット、バッテリユニット、コンソールユニット、ハードディスク駆動装置（ＨＤＤ）ユニットは所定の開口から筐体内に差し込まれる。個々のユニットに取り付けられるコネクタはバックパネル上で対応するコネクタに受け止められる。こうしてユニット相互間の電気的接続は確立される。
【特許文献１】特開２０００−１７４４４７号公報
【特許文献２】特開２００２−７５１１４号公報
【発明の開示】
【発明が解決しようとする課題】
【０００３】
ディスクアレイ装置は常に稼働し続けることが望まれる。稼働の維持にあたってコンソールユニットは常に取り外されることはできない。その一方で、稼働中であってもバッテリユニットやＨＤＤユニットの交換は許容されなければならない。コンソールユニットに干渉せずにバッテリユニットやＨＤＤユニットの交換が実現されることができ、しかも、できる限りディスクアレイ装置は小型化されることが望まれる。
【０００４】
本発明は、上記実状に鑑みてなされたもので、ディスクアレイ装置といった電子機器の小型化に大いに貢献することができるコンソールユニットを提供することを目的とする。本発明は、電子機器の小型化に大いに貢献することができる操作ボタンユニットや操作ボタンアセンブリを提供することを目的とする。
【課題を解決するための手段】
【０００５】
上記目的を達成するために、第１発明によれば、任意の仮想平面に沿って広がる基板と、前端から後方に広がって、表面で基板を受け止める支持部材と、仮想平面に交差する回転軸回りで回転自在に支持部材の前端に連結されて、基板に電気的に接続されるコンソールとを備えることを特徴とするコンソールユニットが提供される。
【０００６】
こういったコンソールユニットでは、基板の大きさに左右されずにコンソールには十分な大きさが確保されることができる。言い換えれば、たとえ基板が小型化されても、コンソールには十分な占有空間が確保されることができる。基板の小型化にも拘わらずコンソールの操作性や視認性は妨げられない。
【０００７】
一般に、こういったコンソールユニットは電子機器に組み込まれて利用されることができる。電子機器にはしばしば常時稼働が求められる。こういった場合には、コンソールユニットは電子機器から取り外されることはできない。その一方で、電子機器では、コンソールユニットに隣接して別部品や別ユニットが配置される。たとえ電子機器の稼働中であっても、別部品や別ユニットにはしばしば交換が要求される。別部品や別ユニットの交換にあたって、回転に基づきコンソールは別部品や別ユニットの進路から待避することができる。別部品や別ユニットとコンソールユニットとの干渉は確実に回避されることができる。
【０００８】
こうした場合には、電子機器は、筐体と、筐体内で任意の仮想平面に沿って広がる基板と、筐体に結合される前端から後方に広がって、表面で基板を受け止める支持部材と、仮想平面に交差する回転軸回りで回転自在に支持部材の前端に連結されて、基板に電気的に接続されるコンソールとを備えればよい。この種の電子機器では、支持部材の後端に、仮想平面に沿って後方に突出するコネクタが固定されてもよい。こういったコネクタは基板に実装されてもよい。コネクタは、例えば仮想平面に交差する姿勢で筐体内に配置される接続用基板上でコネクタに結合されることができる。こうしてコンソールユニットは接続用基板に電気的に接続されることができる。
【０００９】
特に、こういったコンソールユニットは例えばディスクアレイ装置に組み付けられることができる。ディスクアレイ装置の筐体には、筐体に形成される開口から接続用基板に向かって広がる収容空間が区画される。この収容空間には、接続用基板に連結されて相互に並列に配置される複数台の記憶装置ユニットが配置される。こういった記憶装置ユニットは例えばハードディスク駆動装置（ＨＤＤ）で代表される。コンソールユニットはディスクアレイ装置の小型化に大いに貢献することができる。
【００１０】
第２発明によれば、平板部材と、平板部材の表面よりも前側に配置される操作ボタンと、操作ボタンに接続されて、平板部材に形成される孔を貫通することで、平板部材の裏面から後側に突き出る推進力伝達部材と、一体成型に基づき平板部材および操作ボタンに連続する弾性変形体とを備える操作ボタンユニットが提供される。
【００１１】
こういった操作ボタンユニットでは、一体成型に基づき平板部材および操作ボタンは連続することから、操作ボタンおよび平板部材の間で十分に弾性変形体の薄型化は実現されることができる。従来、この種の操作ボタンユニットには、巻きばねの弾性力を利用する操作ボタンが組み合わせられてきた。この種の操作ボタンユニットでは、巻きばねの弾性力の確保にあたって巻きばねに十分な長さが要求された。その結果、操作ボタンユニットの薄型化は難しかった。
【００１２】
第３発明によれば、ハウジングと、所定の間隔でハウジングの内面に向き合わせられる平板部材と、平板部材の表面よりも前側に配置されて、ハウジングに穿たれる窓孔に臨む操作ボタンと、操作ボタンに接続されて、平板部材に形成される孔を貫通することで、平板部材の裏面から後側に向かって突き出る推進力伝達部材と、一体成型に基づき平板部材および操作ボタンに連続する弾性変形体と、平板部材の裏面に接触し、ハウジングに対して平板部材を押し当てる裏板部材と、裏板部材に穿たれて、推進力伝達部材の進入を受け入れる貫通孔とを備えることを特徴とする操作ボタンアセンブリが提供される。
【００１３】
操作ボタンに押し付け力が加えられると、操作ボタンおよび推進力伝達部材は弾性変形体の弾性変形に応じて後退する。こうして推進力伝達部材はスイッチング動作を実現する。操作ボタンが押し付け力から解放されると、弾性変形体はその弾性力で原形に復帰する。操作ボタンおよび推進力伝達部材は前進する。こうして次回のスイッチング動作に対して準備が整う。推進力伝達部材の後端は例えば押圧式のスイッチに受け止められればよい。
【００１４】
こういった操作ボタンアセンブリでは、平板部材の表面に、平板部材の表面から突き出る突起が一体に形成されてもよい。突起の働きでハウジングと平板部材との間には所定の間隔が確保される。したがって、弾性変形体の弾性変形は妨げられない。弾性変形体は確実にハウジングおよび平板部材の間で変形することができる。
【００１５】
前述の裏板部材はハウジングに着脱自在に固定されてもよい。この場合には、裏板部材や平板部材、操作ボタン、推進力伝達部材、弾性変形体は比較的に簡単にハウジングから取り外されることができる。裏板部材や操作ボタンユニットは簡単に分別されることができる。
【発明の効果】
【００１６】
以上のように本発明によれば、ディスクアレイ装置といった電子機器の小型化に大いに貢献することができるコンソールユニットは提供されることができる。また、本発明によれば、電子機器の小型化に大いに貢献することができる操作ボタンユニットや操作ボタンアセンブリは提供されることができる。
【発明を実施するための最良の形態】
【００１７】
以下、添付図面を参照しつつ本発明の一実施形態を説明する。
【００１８】
図１は本発明の一実施形態に係る電子機器すなわちディスクアレイ装置１１の外観を概略的に示す。ディスクアレイ装置１１は平たい直方体の筐体１２を備える。筐体１２は正面の前側開口から後方に延びる。前側開口には複数台の記憶装置ユニットすなわちハードディスク駆動装置（ＨＤＤ）ユニット１４が差し込まれる。ＨＤＤユニット１４は相互に並列に配置される。個々のＨＤＤユニット１４は同一の姿勢に保持される。筐体１２の前側開口には、ＨＤＤユニット１４に隣接してフロントカバー１５がはめ込まれる。
【００１９】
ディスクアレイ装置１１はいわゆるラックマウント型に構成される。すなわち、ディスクアレイ装置１１は例えばラックに搭載されて使用される。ディスクアレイ装置１１がラックに搭載されると、個々のＨＤＤユニット１４は直立姿勢に保持される。こうしてＨＤＤが垂直方向に直立すると、ＨＤＤ内では水平方向に延びる回転軸回りで磁気ディスクは回転する。ディスクアレイ装置１１は、例えば同様にラックに搭載されるサーバコンピュータ装置に接続されればよい。ディスクアレイ装置はサーバコンピュータ装置から供給される指令に基づき動作すればよい。
【００２０】
図２に示されるように、筐体１２内には１枚の接続用基板すなわちバックパネル１６が配置される。バックパネル１６は、水平方向に広がる筐体１２の底板１２ａに対して直立姿勢に保持される。バックパネル１６の前面すなわち表面には複数のコネクタ１７ａ、１７ｂ、１７ｃが実装される。筐体１２内には、バックパネル１６の前面に隣接しつつ前側開口１８に臨む前側空間１９が区画される。
【００２１】
前側空間１９にはフロントユニットケージ２１が収容される。フロントユニットケージ２１には上下２段の収容空間２２ａ、２２ｂが区画される。上側の収容空間２２ａは、直立する２つの壁２３で水平方向に並列する第１〜第３収容室２４ａ、２４ｂ、２４ｂに細分化される。下側の収容空間２２ｂには前述のＨＤＤユニット１４が収容される。個々のＨＤＤユニット１４が前側開口１８からフロントユニットケージ２１に十分に差し込まれると、ＨＤＤユニット１４のコネクタはバックパネル１６上のコネクタ１７ａに受け止められる。こうして個々のＨＤＤユニット１４はバックパネル１６に電気的に接続される。
【００２２】
第１収容室２４ａにはコンソールユニット２５が収容される。コンソールユニット２５は筐体１２の前側開口１８から第１収容室２４ａに差し込まれる。コンソールユニット２５がフロントユニットケージ２１に十分に差し込まれると、コンソールユニット２５に組み込まれるコネクタはバックパネル１６上のコネクタ１７ｂに受け止められる。こうしてコンソールユニット２５はバックパネル１６に電気的に接続される。
【００２３】
第２および第３収容室２４ｂ、２４ｂにはそれぞれバッテリユニット２６、２６が収容される。個々のバッテリユニット２６、２６は筐体１２の前側開口１８から第２および第３収容室２４ｂ、２４ｂに差し込まれる。バッテリユニット２６がフロントユニットケージ２１に十分に差し込まれると、バッテリユニット２６のコネクタはバックパネル１６上のコネクタ１７ｃに受け止められる。こうしてバッテリユニット２６はバックパネル１６に電気的に接続される。２台のバッテリユニット２６は同一の構造に構成されればよい。
【００２４】
フロントユニットケージ２１には前述のフロントカバー１５が結合される。フロントカバー１５は上側の収容空間２２ａの開口を塞ぐ。こうしてフロントカバー１５は、フロントユニットケージ２１に収容されるコンソールユニット２５やバッテリユニット２６、２６の正面を覆い隠す。
【００２５】
図３に示されるように、筐体１２内では、バックパネル１６の後面すなわち裏面に隣接しつつ筐体１２の後側開口２８に臨む後側空間２９がバックパネル１６の後方に区画される。この後側空間２９の上段には１台の制御ユニット３１が収容される。後側空間２９の下段には２台の電源ユニット３２、３２が収容される。制御ユニット３１や電源ユニット３２は筐体１２の後側開口２８から筐体１２内に差し込まれる。制御ユニット３１や電源ユニット３２が筐体１２に十分に差し込まれると、制御ユニット３１のコネクタや電源ユニット３２のコネクタはバックパネル１６の後面でコネクタ（図示されず）に受け止められる。こうして制御ユニット３１や電源ユニット３２はバックパネル１６に電気的に接続される。こうした制御ユニット３１に前述のサーバコンピュータ装置は接続されればよい。２台の電源ユニット３２は同一構造に構成されればよい。
【００２６】
上位ホストすなわちサーバコンピュータ装置から書き込み指令や読み出し指令は制御ユニット３１に供給される。制御ユニット３１は書き込み指令や読み出し指令に応じて対応するＨＤＤユニット１４で情報の書き込みや読み出しを実施する。このとき、制御ユニット３１や個々のＨＤＤユニット１４には電源ユニット３２から電力が供給される。電力の供給にあたって電源ユニット３２は交流電流を直流電流に変換する。一方の電源ユニット３２に支障が生じても、他方の電源ユニット３２の働きでディスクアレイ装置１１の稼働は確保されることができる。こういった場合には、電源ユニット３２の交換にあたってディスクアレイ装置１１の稼働は維持されることができる。すなわち、ディスクアレイ装置１１の稼働中に電源ユニット３２は交換されることができる。
【００２７】
例えば停電といった場面で電源ユニット３２から電力の供給が途切れても、制御ユニット３１や個々のＨＤＤユニット１４にはバッテリユニット２６から電力が供給されることができる。バッテリユニット２６には電源ユニット３２から供給される電力が予め蓄積されればよい。しかも、２台のバッテリユニット２６が組み込まれることから、たとえ一方のバッテリユニット２６に支障が生じても他方のバッテリユニット２６の働きでディスクアレイ装置１１の稼働は確保されることができる。バッテリユニット２６の交換にあたってディスクアレイ装置１１の稼働は維持されることができる。
【００２８】
次にコンソールユニット２５の構造を詳細に説明する。図４に示されるように、このコンソールユニット２５は支持部材すなわちハウジング３５を備える。ハウジング３５は、前端から後方に向かって１水平面に沿って広がる矩形のハウジング本体３６を備える。ハウジング本体３６の側縁には、前後方向に延びるガイド壁３７ａ、３７ｂが配置される。前述のようにコンソールユニット２５がフロントユニットケージ２１の第１収容室２４ａに差し込まれる際に、ハウジング本体３６やガイド壁３７ａ、３７ｂは第１収容室２４ａの内壁面に案内される。ガイド壁３７ａ、３７ｂは一体成型に基づきハウジング本体３６に連続すればよい。
【００２９】
ガイド壁３７ａ、３７ｂ同士の間でハウジング本体３６上にはプリント基板ユニット３８が搭載される。プリント基板ユニット３８はハウジング本体３６と同様に前端から後方に向かって１水平面に沿って広がる基板３９を備える。基板３９はハウジング本体３６に対して平行な姿勢に保持されればよい。プリント基板ユニット３８とハウジング本体３６との間には所定の間隔が確保されてもよい。基板３９は例えばねじ４１でハウジング本体３６に固定されればよい。こうして基板３９はハウジング本体３６に受け止められる。
【００３０】
基板３９には様々な電子部品が実装される。こうした電子部品の働きでプリント基板ユニット３８では所定の制御回路は確立される。同様に基板３９の後端にはコネクタ４２が取り付けられる。コネクタ４２は基板３９に実装されればよい。前述のようにコンソールユニット２５がフロントユニットケージ２１の第１収容室２４ａに十分に差し込まれると、コネクタ４２はバックパネル１６上のコネクタ１７ｂに結合される。こうして制御回路は前述の制御ユニット３１に電気的に接続される。
【００３１】
ハウジング本体３６の前端には、ハウジング本体３６から垂直方向に立ち上がる支持壁４３が配置される。支持壁４３には、水平方向に延びる上下１対の支持腕４４、４４が取り付けられる。支持腕４４、４４には回転自在にコンソール４５が取り付けられる。コンソールユニット２５がフロントユニットケージ２１に十分に差し込まれると、ハウジング本体３６やガイド壁３７ａ、３７ｂの働きで支持壁４３すなわちコンソール４５は筐体１２に対して所定の位置に位置決めされることができる。支持壁４３は例えば筐体１２やフロントユニットケージ２１に連結されればよい。支持壁４３や支持腕４４は一体成型に基づきハウジング本体３６に連続すればよい。ここでは、ハウジング本体３６、ガイド壁３７ａ、３７ｂ、支持壁４３および支持腕４４、４４は１枚の板材からプレス加工に基づき打ち抜き成型されればよい。
【００３２】
個々の支持腕４４には１垂直軸に対して位置合わせされる貫通孔４６が穿たれる。同様に、コンソール４５に固定される上下１対の支持腕４７、４７には１垂直軸に対して位置合わせされる貫通孔４８、４８が穿たれる。コンソール４５の取り付けにあたって支持腕４７は支持腕４４に重ね合わせされる。貫通孔４６、４８には共通に回転軸４９が差し込まれる。こうしてコンソール４５はハウジング３５に回転自在に連結される。
【００３３】
コンソール４５には、例えば液晶ディスプレイユニット５１や各種の操作スイッチ５２ａ、５２ｂが組み込まれる。操作スイッチには、電源スイッチ５２ａのほか様々な機能スイッチ５２ｂが含まれる。電気配線５３はコンソール４５とプリント基板ユニット３８とを電気的に接続する。基板３９上の制御回路は、液晶ディスプレイユニット５１の画面上に所定のテキストを表示することができる。同様に、基板３９上の制御回路は、操作スイッチ５２ａ、５２ｂの操作に基づき制御ユニット３１に向けて所定の制御信号を送り込むことができる。コンソール４５は、例えば、回路基板と、回路基板を挟み込む表カバーおよび裏カバーとから構成されればよい。液晶ディスプレイユニット５１や操作スイッチ５２ａ、５２ｂは例えば回路基板上に実装されればよい。
【００３４】
図５を併せて参照すると明らかなように、コンソール４５は、第１収容室２４ａに収容されるハウジング３５を完全に覆うだけでなく、第１収容室２４ａに隣接する第２収容室２４ｂに収容されるバッテリユニット２６を部分的に覆う。その結果、ハウジング３５の小型化に拘わらずコンソール４５には十分な占有空間が確保されることができる。言い換えれば、コンソール４５には、ハウジング３５だけを覆う場合に比べて大きな横幅は確保されることができる。液晶ディスプレイユニット５１の画面の視認性や操作スイッチ５２ａ、５２ｂの配置は妨げられずに済む。その一方で、ハウジング３５の小型化はバッテリユニット２６の占有空間を増大させる。バッテリユニット２６には十分な蓄電容量が確保されることができる。
【００３５】
ディスクアレイ装置１１は常に稼働し続けることが望まれる。こうした稼働の維持にあたって、各種の操作スイッチ５２ａ、５２ｂを含むコンソールユニット２５は常に取り外されることはできない。コネクタ４２、１７ｂ同士の接続は維持されなければならない。その一方で、稼働中であってもバッテリユニット２６は交換されることが望まれる。例えば図６に示されるように、バッテリユニット２６の交換にあたってコンソール４５は回転軸４９回りで前方の待避位置まで回転することができる。コンソール４５が待避位置に至れば、バッテリユニット２６の出し入れにあたってバッテリユニット２６とコンソール４５との干渉は確実に回避されることができる。バッテリユニット２６の交換にあたってコンソールユニット２５は第１収容室２４ａから引き抜かれる必要はない。コンソールユニット２５とバックパネル１６との電気的接続は常に維持されることができる。
【００３６】
なお、コンソール４５の待避位置はコンソール４５と支持壁４３との接触に基づき規定されればよい。このとき、コンソール４５には例えば接触片５４が取り付けられればよい。接触片５４はコンソール４５の回転に応じて回転軸４９回りで回転する。その一方で、支持壁４３には規制片５５が一体に形成される。コンソール４５が待避位置に至ると、コンソール４５の接触片５４は支持壁４３上の規制片５５に衝突する。その他、図５から明らかなように、待避位置から復帰する際にコンソール４５の回転は規制片５６で規制されればよい。こういった規制片５６は支持壁４３に一体に形成されればよい。その他、コンソール４５には取っ手５７が形成されてもよい。コンソール４５の回転作業にあたって作業者は取っ手５７を利用することができる。
【００３７】
次にフロントカバー１５の構造を詳細に説明する。図７に示されるように、フロントカバー１５のハウジング７１には操作ボタンユニット７２が組み付けられる。この操作ボタンユニット７２は、表面でハウジング７１の内面に向き合わせられる平板部材７３を備える。平板部材７３の表面には操作ボタン７４が配置される。操作ボタン７４は例えば任意の行列で配置されればよい。後述されるように、個々の操作ボタン７４は、ハウジング７１に形成される窓孔７５に受け入れられる。
【００３８】
平板部材７３の表面には、操作ボタン７４同士の間で平板部材７３の表面から突き出る突起７６が配置される。個々の操作ボタン７４が窓孔７５に受け入れられると、突起７６の先端はハウジング７１の内面に押し当てられる。こうして平板部材７３とハウジング７１の内面との間には所定の間隔が確保される。操作ボタンユニット７２は例えばシリコーンといった樹脂材料から一体成型に基づき形作られる。操作ボタンユニット７２全体には所定の弾性が付与される。
【００３９】
平板部材７３の背後には、ハウジング７１に対して操作ボタンユニット７３を押し当てる裏板部材７７が配置される。裏板部材７７は、後述されるように、平板部材７３の裏面に接触する。裏板部材７７の働きで操作ボタンユニット７２はハウジング７１内に保持される。こうしてフロントカバー１５は本発明に係る操作ボタンアセンブリを構成する。裏板部材７７は例えばステンレス鋼といった金属板金材料から形成されればよい。裏板部材７７には、個々の操作ボタン７４に対応して貫通孔７８が形成される。
【００４０】
図８から明らかなように、個々の操作ボタン７４は、平板部材７３の表面よりも前方に配置される。個々の操作ボタン７４の背後で平板部材７３には孔７９が形成される。個々の操作ボタン７４には後方に延びる推進力伝達部材すなわち軸部材８１が接続される。軸部材８１は対応する孔７９を貫通する。こうして軸部材８１は平板部材７３の裏面から後側に向かって突き出る。同時に、軸部材８１は、裏板部材７７に形成される貫通孔７８に受け入れられる。軸部材８１の先端は、裏板部材７７を突き抜けて裏板部材７７の背後に至る。
【００４１】
個々の操作ボタン７４と平板部材７３との間には弾性変形体８３が配置される。弾性変形体８３は操作ボタン７４の外周から孔７９の縁まで連続する。弾性変形体８３は前述のように一体成型に基づき操作ボタン７４や平板部材７３に連続すればよい。弾性変形体８３の弾性変形に基づき軸部材８１の前後方向移動は引き起こされる。弾性変形体８３は、円柱や円錐、ドーム形、その他これらに類似する形状に形作られればよい。
【００４２】
裏板部材７７はハウジング７１に嵌め合わせられる。ハウジング７１には、裏板部材７７の一端で裏板部材７７の外周（爪）を受け入れる第１受け入れ孔８４が形成される。この第１受け入れ孔８４に向き合わせられてハウジング７１には第２受け入れ孔８５が形成される。第２受け入れ孔８５には、裏板部材７７の裏面から背後に立ち上がる係り合い片８６が受け入れられる。弾性力に基づき係り合い片８６が原形に復帰すると、係り合い片８６の先端は第２受け入れ孔８５の縁に係り合う。その結果、裏板部材７７はハウジング７１に固定される。
【００４３】
図８に示されるように、前述のコンソールユニット２５の収容時に筐体１２にフロントカバー１５が組み付けられると、個々の操作ボタン７４の軸部材８１はコンソール４５上の操作スイッチ５２ａ、５２ｂに受け止められる。操作ボタン７４に押し付け力が加えられると、操作ボタン７４および軸部材８１は弾性変形体８３の弾性変形に応じて後退する。その結果、軸部材８１は操作スイッチ５２ａ、５２ｂを押し込む。このとき、前述の突起７６の働きでハウジング７１と平板部材７３との間には所定の間隔が確保されることから、弾性変形体８３の弾性変形は妨げられない。弾性変形体８３は確実にハウジング７１および平板部材７３の間で変形する。操作ボタン７４が押し付け力から解放されると、弾性変形体８３はその弾性力で原形に復帰する。操作ボタン７４および軸部材８１は前進する。操作スイッチ５２ａ、５２ｂでは次回の操作に対して準備が整う。
【００４４】
こういった操作ボタンアセンブリでは、操作ボタンユニット７２の採用に基づき操作ボタンアセンブリの薄型化は実現されることができる。操作ボタンアセンブリすなわちフロントカバー１５の薄型化に基づきバッテリユニット２６には十分な大きさの収容空間が確保されることができる。従来、この種の操作スイッチ５２ａ、５２ｂには、巻きばねの弾性力を利用する操作ボタンが組み合わせられてきた。この種の操作ボタンでは、巻きばねの弾性力の確保にあたって軸部材に十分な長さが要求された。その結果、操作ボタンアセンブリの薄型化は難しかった。
【００４５】
しかも、例えば図９に示されるように、係り合い片８６に強制力が加えられると、係り合い片８６の先端はハウジング７１の第２受け入れ孔８５から離脱することができる。したがって、裏板部材７７および操作ボタンユニット７２は比較的に簡単にハウジング７１から取り外されることができる。裏板部材７７や操作ボタンユニット７２は簡単に分別されることができる。
【００４６】
（付記１）  任意の仮想平面に沿って広がる基板と、前端から後方に広がって、表面で基板を受け止める支持部材と、仮想平面に交差する回転軸回りで回転自在に支持部材の前端に連結されて、基板に電気的に接続されるコンソールとを備えることを特徴とするコンソールユニット。
【００４７】
（付記２）  付記１に記載のコンソールユニットにおいて、前記支持部材の後端には、前記仮想平面に沿って後方に突出するコネクタが固定されることを特徴とするコンソールユニット。
【００４８】
（付記３）  付記２に記載のコンソールユニットにおいて、前記コネクタは前記基板に実装されることを特徴とするコンソールユニット。
【００４９】
（付記４）  筐体と、筐体内で任意の仮想平面に沿って広がる基板と、筐体に結合される前端から後方に広がって、表面で基板を受け止める支持部材と、仮想平面に交差する回転軸回りで回転自在に支持部材の前端に連結されて、基板に電気的に接続されるコンソールとを備えることを特徴とする電子機器。
【００５０】
（付記５）  付記４に記載の電子機器において、前記仮想平面に交差する姿勢で筐体内に配置される接続用基板と、接続用基板に配置される第１コネクタと、前記基板上に配置されて、第１コネクタに結合される第２コネクタとをさらに備えることを特徴とする電子機器。
【００５１】
（付記６）  付記５に記載の電子機器において、前記筐体には、筐体に形成される開口から前記接続用基板に向かって広がる収容空間が区画されることを特徴とする電子機器。
【００５２】
（付記７）  付記６に記載の電子機器において、前記収容空間には、前記接続用基板に連結されて相互に並列に配置される複数台の記憶装置ユニットが配置されることを特徴とする電子機器。
【００５３】
（付記８）  平板部材と、平板部材の表面よりも前側に配置される操作ボタンと、操作ボタンに接続されて、平板部材に形成される孔を貫通することで、平板部材の裏面から後側に突き出る推進力伝達部材と、一体成型に基づき平板部材および操作ボタンに連続する弾性変形体とを備える操作ボタンユニット。
【００５４】
（付記９）  付記８に記載の操作ボタンユニットにおいて、前記平板部材の表面から突き出る突起をさらに備えることを特徴とする操作ボタンユニット。
【００５５】
（付記１０）  ハウジングと、所定の間隔でハウジングの内面に向き合わせられる平板部材と、平板部材の表面よりも前側に配置されて、ハウジングに穿たれる窓孔に臨む操作ボタンと、操作ボタンに接続されて、平板部材に形成される孔を貫通することで、平板部材の裏面から後側に向かって突き出る推進力伝達部材と、一体成型に基づき平板部材および操作ボタンに連続する弾性変形体と、平板部材の裏面に接触し、ハウジングに対して平板部材を押し当てる裏板部材と、裏板部材に穿たれて、推進力伝達部材の進入を受け入れる貫通孔とを備えることを特徴とする操作ボタンアセンブリ。
【００５６】
（付記１１）  付記１０に記載の操作ボタンアセンブリにおいて、前記平板部材の表面には、平板部材の表面から突き出る突起が一体に形成されることを特徴とする操作ボタンアセンブリ。
【００５７】
（付記１２）  付記１０または１１に記載の操作ボタンアセンブリにおいて、前記裏板部材は前記ハウジングに着脱自在に固定されることを特徴とする操作ボタンアセンブリ。
【図面の簡単な説明】
【００５８】
【図１】本発明の一実施形態に係る電子機器すなわちディスクアレイ装置の外観を概略的に示す斜視図である。
【図２】ディスクアレイ装置の構造を概略的に示す部分分解図である。
【図３】ディスクアレイ装置の構造を概略的に示す部分分解図である。
【図４】コンソールユニットの構造を概略的に示す拡大分解図である。
【図５】コンソールユニットおよびバッテリユニットの関係を概略的に示す平面図である。
【図６】コンソールユニットおよびバッテリユニットの関係を概略的に示す平面図である。
【図７】フロントカバーの構造を概略的に示す拡大分解斜視図である。
【図８】図７の８−８線に沿った拡大断面図である。
【図９】図８に対応し、ハウジングから裏板部材および操作ボタンユニットが取り外される場面を示す拡大断面図である。
【符号の説明】
【００５９】
１１  電子機器としてのディスクアレイ装置、１２  筐体、１４  記憶装置ユニット、１５  操作ボタンアセンブリとしてのフロントカバー、１６  接続用基板としてのバックパネル、１７ｂ  第１コネクタ、２５  コンソールユニット、３５  支持部材としてのハウジング、３９  基板、４２  コネクタ（第２コネクタ）、４５  コンソール、７１  ハウジング、７２  操作ボタンユニット、７３  平板部材、７４  操作ボタン、７６  突起、７７  裏板部材、７８  貫通孔、７９  孔、８１  推進力伝達部材としての軸部材、８３  弾性変形体。
【図１】
2005033087.tif 000003
【図２】
2005033087.tif 000004
【図３】
2005033087.tif 000005
【図４】
2005033087.tif 000006
【図５】
2005033087.tif 000007
【図６】
2005033087.tif 000008
【図７】
2005033087.tif 000009
【図８】
2005033087.tif 000010
【図９】
2005033087.tif 000011